(57)【要約】【課題】特殊な三次元表面効果を有するリップスティックの製造に適合された方法およびこの方法によって得られるリップスティックを提供する。【解決手段】三次元デザインを有する外部側面を備えたリップスティック（１３、１７、１９、２１、２３）は、粗いタップ（１）の予め鏡面研磨されたヘッド部（２）の外部側面をレーザ加工することを含む方法によって得られる。方法は、サイクロンシステム（１４）によってリップスティック（１３、１７、１９、２１、２３）を最終的にパーリングして、パーリングされたリップスティック（１６、１８、２０、２２、２４）を取得することを含みうる。【選択図】図１２
2021531079.tif 000002
【特許請求の範囲】
【請求項１】
特殊な三次元表面効果を有するリップスティックの製造方法であって、
ａ）リップスティックの形を有するとともに粗い外部側面を有するヘッド部（２）を備えた金属タップ（１）を形成し、
ｂ）前記金属タップ（１）の前記ヘッド部（２）の前記外部側面を鏡面状に研磨して、研磨された外部側面（５）を有するヘッド部を取得し、
ｃ）前記ヘッド部（２）の前記研磨された外部側面（５）にレーザ加工を施して、所望の三次元デザインに応じて加工されたレーザ加工されたヘッド部（６）を有するタップを取得し、
ｄ）前記レーザ加工されたヘッド部（６）を有するタップの外側且つ成形空間（８）の内側に、前記三次元デザインに対して相補的な形を有する内部空隙（１０）を備えた可鍛性プラスチック素材製の中空オジーブ（９）を形成し、
ｅ）前記相補的な形を有する内部空隙（１０）を備えた前記オジーブ（９）を、注入空間（１１）内に上向きに導入し、
ｆ）リップスティックに適合する高温流体素材（１２）を、前記オジーブ（９）の前記相補的な形を有する空隙（１０）内に注入し、
ｇ）固化したリップスティック（１３、１７、１９、２１、２３）が得られるまで、注入された素材（１２）を冷却し、
ｈ）前記固化したリップスティック（１３、１７、１９、２１、２３）を、前記オジーブ（９）の前記内部空隙（１０）から引き抜く連続する工程を含む方法。
【請求項２】
前記固化したリップスティック（１３、１７、１９、２１、２３）を微小パール（１５）で最終的に被覆又はパーリングして、パーリングされたリップスティック（１６、１８、２０、２２、２４）を取得することを含む請求項１に記載の方法。
【請求項３】
サイクロンシステム（１４）によってパーリングが得られる請求項２に記載の方法。
【請求項４】
請求項１又は２に記載の方法によって取得され、ビロード状のデザインを有する側面を備えたリップスティック（１３、１６）。
【請求項５】
請求項１又は２に記載の方法によって取得され、斜めの帯のデザインを有する側面を備えたリップスティック（１７、１８）。
【請求項６】
請求項１又は２に記載の方法によって取得され、縦帯のデザインを有する側面を備えたリップスティック（１９、２０）。
【請求項７】
請求項１又は２に記載の方法によって取得され、小型の星のデザインを有する側面を備えたリップスティック（２１、２２）。
【請求項８】
請求項１又は２に記載の方法によって取得され、三角形のデザインを有する側面を備えたリップスティック（２３、２４）。
【発明の詳細な説明】
【技術分野】
【０００１】
本発明は、特殊な三次元表面効果を有するリップスティックの製造方法及びそのようにして得られるリップスティックの種類に関する。
【背景技術】
【０００２】
通常のリップスティック、すなわちケース内を軸方向に移動可能である適切な支持基部に接続されることを意図したリップスティックは、特定の視覚効果を何ら有さない側面を通常備える。
【０００３】
リップスティックの使用者は、購入時に注目を引くことに加え、使用者の唇に色を塗るだけではないより独創的な別の美容効果を提供できる外側が加工されたリップスティックを手に入れられれば、これを高く評価するだろう。
【０００４】
リップスティックの製造に関する先行技術としては、例えば、以下の特許文献１〜３に開示された技術がある。
【特許文献１】米国特許出願公開第２００２／００８６０７９号明細書
【特許文献２】米国特許出願公開第２００７／０２９５８８７号明細書
【特許文献３】米国特許第６０２２２０９号明細書
【発明の概要】
【発明が解決しようとする課題】
【０００５】
本発明の目的は、使用者や観察者が高く評価し、独創的な別の好ましい美容効果を使用者の唇に結果的にもたらしうる特殊な三次元表面効果を有するリップスティックの製造に適合された方法およびこの方法によって得られるリップスティックを提供することである。
【課題を解決するための手段】
【０００６】
本発明によれば、このような目的は、以下の連続する工程ａ）〜ｈ）を備えた方法によって達成される。
【０００７】
ａ）リップスティックの形を有するとともに粗い外部側面を有するヘッド部を備えた金属タップを形成し、
ｂ）前記金属タップの前記ヘッド部の前記外部側面を鏡面研磨して、研磨された外部側面を有するヘッド部を取得し、
ｃ）前記ヘッド部の前記研磨された外部側面にレーザ加工を施して、所望の三次元デザインに応じて加工されたヘッド部に外部側面を有するレーザ加工されたタップを有するタップを取得し、
ｄ）前記加工されたヘッドを有する前記タップの外側且つ成形空間の内側に、前記三次元デザインに対して相補的になるような形を有する内部空隙を備えた可鍛性プラスチック素材製の中空オジーブを形成し
ｅ）前記相補的な形を有する内部空隙を備えた前記オジーブを、注入空間内に上向きに導入し、
ｆ）リップスティックに適合する高温流体素材を、前記オジーブの前記相補的な形を有する空隙内に注入し、
ｇ）固化したリップスティックが得られるよう、注入された素材を冷却し、
ｈ）前記固化したリップスティックを、前記オジーブの前記内部空隙から引き抜く。
【発明の効果】
【０００８】
こうして初期状態の金属タップに対するレーザ加工に由来する任意の三次元デザインが設けられた外部側面を備えたリップスティックが得られる。
【０００９】
本発明に係る方法の実施形態では、オジーブから抜き出された固化したリップスティックに対してその後、微小パールを吹き付ける工程又はパーリングを実施してもよい。パーリングは、チャンバ内でサイクロンシステムによって溶剤等を用いることなく実施される。これにより、所望の数の微小パールを空隙や過剰部分無しに均一にリップスティックの外部側面に付着させ、特に明るく好ましい外観を与えられる。
【００１０】
本発明に係る方法及びそこから導出されうるリップスティックの特徴は、以下の例示的な実施形態の詳細な説明から明らかとなるであろう。
【図面の簡単な説明】
【００１１】
【図１】本発明に係る方法を実現するために利用できる粗い状態のタップの側面図である。
【図２】粗い状態のタップの図１とは異なる側面図である。
【図３】図１のタップにおけるリップスティックの形を定義するためのヘッド部を研磨する作業後のタップを示す。
【図４】図２のタップにおけるリップスティックの形を定義するためのヘッド部を研磨する作業後のタップを示す。
【図５】図３のタップのヘッド部をレーザ加工する作業の終了時におけるレーザ加工されたヘッド部を有するタップ（又はレーザ加工されたタップ）を示す。
【図６】図４のタップのヘッド部をレーザ加工する作業の終了時におけるレーザ加工されたヘッド部を有するタップ（又はレーザ加工されたタップ）を示す。
【図７】レーザ加工作業後のタップにおけるレーザ加工されたヘッド部の外部側面の詳細を拡大して示す。
【図８】レーザ加工されたヘッド部を有するタップを用いて、可鍛性プラスチック素材製の中空オジーブを成形するための機械の断面図を示す。
【図９】成形機械から抜き出された後のオジーブを示す。
【図１０】モールドから抜き出され、レーザ加工されたヘッド部を有するタップから分離された後のオジーブにおける内部空隙の側面の詳細を拡大して示す。
【図１１】オジーブの空隙内にリップスティックを形成する鋳造機械の断面図を示す。
【図１２】オジーブから抜き出されたリップスティックの側面図を示す。
【図１３】オジーブから抜き出されたリップスティックの図１２とは異なる側面図を示す。
【図１４】リップスティックに最終的に実施しうるパーリングを行うサイクロンマシンの概略図を示す。
【図１５】パーリング作業後の図１２におけるリップスティックの側面図を示す。
【図１６】パーリング作業後の図１３におけるリップスティックの側面図を示す。
【図１７】本発明の方法によって取得できるパーリングされていない形状の側面を備えたリップスティックの例である更なる側面図を示す。
【図１８】本発明の方法によって取得できるパーリングされていない形状の側面を備えたリップスティックの例である図１７とは異なる更なる側面図を示す。
【図１９】本発明の方法によって取得できる図１７のリップスティックに対してパーリングされた形状の側面を備えたリップスティックの例である更なる側面図を示す。
【図２０】本発明の方法によって取得できる図１８のリップスティックに対してパーリングされた形状の側面を備えたリップスティックの例である更なる側面図を示す。
【図２１】本発明の方法によって取得できるパーリングされていない形状の側面を備えたリップスティックの例である更なる側面図を示す。
【図２２】本発明の方法によって取得できるパーリングされていない形状の側面を備えたリップスティックの例である図２１とは異なる更なる側面図を示す。
【図２３】本発明の方法によって取得できる図２１のリップスティックに対してパーリングされた形状の側面を備えたリップスティックの例である更なる側面図を示す。
【図２４】本発明の方法によって取得できる図２２のリップスティックに対してパーリングされた形状の側面を備えたリップスティックの例である更なる側面図を示す。
【図２５】本発明の方法によって取得できるパーリングされていない形状の側面を備えたリップスティックの例である更なる側面図を示す。
【図２６】本発明の方法によって取得できるパーリングされていない形状の側面を備えたリップスティックの例である図２５とは異なる更なる側面図を示す。
【図２７】本発明の方法によって取得できる図２５のリップスティックに対してパーリングされた形状の側面を備えたリップスティックの例である更なる側面図を示す。
【図２８】本発明の方法によって取得できる図２６のリップスティックに対してパーリングされた形状の側面を備えたリップスティックの例である更なる側面図を示す。
【図２９】本発明の方法によって取得できるパーリングされていない形状の側面を備えたリップスティックの例である更なる側面図を示す。
【図３０】本発明の方法によって取得できるパーリングされていない形状の側面を備えたリップスティックの例である図２９とは異なる更なる側面図を示す。
【図３１】本発明の方法によって取得できる図２９のリップスティックに対してパーリングされた形状の側面を備えたリップスティックの例である更なる側面図を示す。
【図３２】本発明の方法によって取得できる図３０のリップスティックに対してパーリングされた形状の側面を備えたリップスティックの例である更なる側面図を示す。
【発明を実施するための形態】
【００１２】
図１及び図２は、本発明に係る方法に利用できる金属タップ１を示しており、タップ１は、通常のリップスティックのような形、すなわち斜めのカット面３を有する尖った端部で終わる円筒形の、最初は粗い状態のヘッド部２を備える。タップ１の支持や取り扱いに使用できる柄４が、ヘッド２の基部から軸方向に延在する。
【００１３】
本発明に係る方法はヘッド部２を鏡面研磨することから始まる。鏡面研磨は、任意の既知のタイプの装置を用いて行われる。この方法により、図３及び図４に示すような研磨されたヘッド部５を有するタップが得られる。
【００１４】
任意のそれ自体既知の装置を用いて、タップの研磨されたヘッド５にレーザ加工を施すことによって、図７に示すような所望の三次元デザイン、例えばビロード又はその他の生地のデザインを有する外部側面を備えたレーザ加工されたヘッド６を製造する。
【００１５】
そしてレーザ加工されたヘッド６を有するタップは、図８に示す既知のタイプの成形機械８（例えばＥＰ１４７３１３３Ａ１に記載されたような機械）の型穴７内で、可鍛性プラスチック素材製の中空オジーブ９（図９に成形が終了した状態で示す）を得るために利用される。図１０に詳細を拡大して示す、オジーブの上向きの内部空隙１０は、レーザ加工されたヘッド６の外部側面に対して相補的なデザインを有する。
【００１６】
中空オジーブ９は、成形機械から抜き出されると、図１１に示す任意の既知のタイプの成形機械（例えばＥＰ１４３７０６２Ａ１に記載されたような機械）の成形空間１１に挿入される。成形空間１１は、リップスティックを形成するよう適合されて注入される流体製品１２を受け止める。
【００１７】
冷却、固化及びオジーブ９の内部空隙１０からの抜き出し作業の後、リップスティック１３が得られる。リップスティック１３は、図１２及び図１３に示すように、本例ではビロード又はその他のタイプの生地のデザインを有する図５及び図６のタップのレーザ加工されたヘッド６の外部側面に対応する外部側面を有する。
【００１８】
このようにして得られたリップスティック１３に対して、要望に応じ、サイクロンシステム、例えば、図１４に概略的に示し全体に参照符号１４を付したようなシステムにおいてパールの吹き付け又は「パーリング」を実施できる。図１４では、参照符号１３は密閉チャンバ３１内で回転される実現可能なリップスティックを示し、参照符号３２は吹き付け又はパーリングチャンバを示し、参照符号３３及び３４はパールをリップスティック１３の周辺に変動させるパールディスペンサ１５を示す。リップスティックに付着しない過剰なパールは、ディスペンサ３３及び３４内のベンチュリー効果によって吹き付けチャンバ３２内を落下した後、次のリップスティックのために再導入される。このため、リップスティックは間隙や過剰部分無しに均一に付着するパール１５によって被覆される。パール１５により、図１５及び図１６に示すように、従来の溶剤と混合されたパールスプレーによって得られるものよりもはるかに印象的な超虹色効果が完成品のリップスティック１６に与えられる。
【００１９】
上述のように、パーリングされた又はされていない完成品のリップスティックは、初期状態のタップのヘッド部をレーザ加工することによって描かれるデザインに応じた任意のその他のデザインを有していてもよい。図１７〜図３２は、パーリングされた又はされていないリップスティックのいくつかの例のみを示しており、これらのリップスティックは本発明に係る方法によって得ることができる。特に、図１７〜図１８はパーリングされていない斜めの帯を有するリップスティック１７を示し、図１９〜図２０はパール１５を含む斜めの帯１８を有する同様のリップスティックを示し、図２１〜図２２はパーリングされていない縦帯１９を有するリップスティックを示し、図２３〜図２４はパール１５を含む縦帯２０を有する同様のリップスティックを示し、図２５〜図２６はパーリングされていない星型デザイン２１を有するリップスティックを示し、図２７〜図２８はパール１５を含む星型デザイン２２を有する同様のリップスティックを示し、図２９〜図３０はパーリングされていない明るい三角形と暗い三角形とを有するリップスティック２３を示し、図３１〜図３２はパール１５を含む明るい三角形と暗い三角形とを有する同様のリップスティック２４を示す。
【符号の説明】
【００２０】
１  金属タップ
２  ヘッド部
５  外部側面
６  レーザ加工されたヘッド部
８  成形空間
９  オジーブ
１０  内部空隙
１１  注入空間
１２  流体素材
１３、１６、１７、１８、１９、２０、２１、２２、２３、２４  リップスティック
【図１】
2021531079.tif 000003
【図２】
2021531079.tif 000004
【図３】
2021531079.tif 000005
【図４】
2021531079.tif 000006
【図５】
2021531079.tif 000007
【図６】
2021531079.tif 000008
【図７】
2021531079.tif 000009
【図８】
2021531079.tif 000010
【図９】
2021531079.tif 000011
【図１０】
2021531079.tif 000012
【図１１】
2021531079.tif 000013
【図１２】
2021531079.tif 000014
【図１３】
2021531079.tif 000015
【図１４】
2021531079.tif 000016
【図１５】
2021531079.tif 000017
【図１６】
2021531079.tif 000018
【図１７】
2021531079.tif 000019
【図１８】
2021531079.tif 000020
【図１９】
2021531079.tif 000021
【図２０】
2021531079.tif 000022
【図２１】
2021531079.tif 000023
【図２２】
2021531079.tif 000024
【図２３】
2021531079.tif 000025
【図２４】
2021531079.tif 000026
【図２５】
2021531079.tif 000027
【図２６】
2021531079.tif 000028
【図２７】
2021531079.tif 000029
【図２８】
2021531079.tif 000030
【図２９】
2021531079.tif 000031
【図３０】
2021531079.tif 000032
【図３１】
2021531079.tif 000033
【図３２】
2021531079.tif 000034
【国際調査報告】
2021531079.tif 000035
2021531079.tif 000036